(57)【要約】【課題】本発明の課題は、ほぼ同時期に大量に栽培される玉ねぎの苗を素早く収納して効率よく出荷できる搬送容器を提供すること、玉ねぎの苗の鮮度を可能な限り長期間維持できる搬送容器を提供することにある。  【課題を解決するための手段】本発明の苗の搬送容器１０は、筒状の側面の１側面１８が軸方向に開放され、他側面２０が軸方向を中心に開閉し得るヒンジ２２を備え、該側面に内面が窪んだ凹部２６を備えた筒状体１２と、前記筒状体１２の開口する一端を塞ぐ底部材１４と、前記筒状体１２の凹部２６に嵌合させられる少なくとも開口部３４を備えた環状のクッション部材１６とを備えた。【選択図】図３
2020191791.tif 000002
【特許請求の範囲】
【請求項１】
筒状の側面の１側面が軸方向に開放され、他側面が軸方向を中心に開閉し得るヒンジを備え、該側面に内面が窪んだ凹部を備えた筒状体と、
前記筒状体の開口する一端を塞ぐ底部材と、
前記筒状体の凹部に嵌合させられる少なくとも開口部を備えた環状のクッション部材と
を備えた苗の搬送容器。
【請求項２】
前記筒状体と底部材とが一体的に形成されている前記請求項１に記載の苗の搬送容器。
【請求項３】
前記軸方向に開放された１側面の対向する両端部に、該両端部を締結する締結手段が設けられている前記請求項１又は２に記載の苗の搬送容器。
【請求項４】
前記筒状体の内部で、前記一端を塞ぐ底部材側に、保水材が配設されている請求項１から３のいずれかに記載の苗の搬送容器。
【請求項５】
前記筒状体の一端を塞ぐ底部材を少なくとも覆う底部キャップを備える請求項１から４のいずれかに記載の苗の搬送容器。
【請求項６】
前記筒状体の側面に通気孔が形成されている請求項１から５のいずれかに記載の苗の搬送容器。
【請求項７】
前記筒状体の高さが苗の長さよりも充分長く形成された請求項１から６のいずれかに記載の苗の搬送容器。
【発明の詳細な説明】
【技術分野】
【０００１】
本発明は、苗の搬送容器に関する。
【背景技術】
【０００２】
玉ねぎの栽培は、農家が培地に玉ねぎの種を蒔き、1か月半前後の期間で苗に育てる。その後、苗を根の付いた状態で収穫し、通常５０本又は１００本を１束にして、玉ねぎの産地に出荷し、苗を購入した農家が1本ずつそれぞれの農地に植え替えて玉ねぎに育てている。苗の根から水分補給ができないため、収穫したときには青々としている苗が、搬送と植え替えに日時を要すると全体に黄色くなり枯れたように萎れてしまう。このような状態であっても、植え替えて玉ねぎを栽培するのには何らの支障もないのであるが、萎れた苗は青々とした苗と比較して商品価値が低下してしまう。このため、玉ねぎの苗の産地から玉ねぎの苗の販売店や玉ねぎの産地までの搬送に時間のかかる所へは出荷できなかった。
【０００３】
玉ねぎの苗の出荷量は数十万本から数百万本と大量である。しかも、玉ねぎの苗の出荷はほぼ同時期に行わなくてはならない。このため、集荷した苗を箱などに数百本から数千本単位で入れて、その箱をトラックに積んで出荷している。１つの箱の中で、数百本から数千本の苗が密接しており、蒸れるなど苗にとっては劣悪な環境であった。ところが、生花と比べると単価が低いため、苗の搬送のために容器の開発はなされていなかった。
【先行技術文献】
【特許文献】
【０００４】
【特許文献１】特開平５−１３２０８９号公報
【特許文献２】実開平７−１７７８８号公報
【発明の概要】
【発明が解決しようとする課題】
【０００５】
特許文献１は切り花、苗木などを包装するために縦に多数のプリーツを形成しておき、切り花などを入れた後、開口部をすぼめて紐で結束するようにしたものである。切り花がプリーツの上から出ており、切り花全体を保護するには構造的に無理がある。特に、プリーツをすぼめるときに葉や花を一緒にプリーツに挟みこんでしまう恐れがあった。また、特許文献２は花束の収納容器が受け器と保護筒とから構成され、受け器の上面に設けられた係止板に形成された挿入穴から切り花を差し込み、切り花を起立状態に支持するようにしたものである。この構成では、切り花のように腰のある植物には適しているが、玉ねぎの苗のように腰のない植物の場合、係止板の挿入穴に苗を差し込むことは困難であるなどの問題がある。
【０００６】
上記した問題に鑑み、本発明の課題は、ほぼ同時期に大量に栽培される玉ねぎの苗を素早く収納して効率よく出荷できる搬送容器を提供することにある。しかも、玉ねぎの苗の鮮度を可能な限り長期間維持できる搬送容器を提供することにある。
【課題を解決するための手段】
【０００７】
上記した課題を解決するために、本発明に係る苗の搬送容器は、筒状の側面の１側面が軸方向に開放され、他側面が軸方向を中心に開閉し得るヒンジを備え、該側面に内面が窪んだ凹部を備えた筒状体と、前記筒状体の開口する一端を塞ぐ底部材と、前記筒状体の凹部に嵌合させられる少なくとも開口部を備えた環状のクッション部材とを備えたことにある。
【０００８】
かかる本発明の苗の搬送容器において、前記筒状体と底部材とが一体的に形成されていることにある。
【０００９】
かかる本発明の苗の搬送容器において、前記軸方向に開放された１側面の対向する両端部に、該両端部を締結する締結手段が設けられていることにある。
【００１０】
また、かかる本発明の苗の搬送容器において、前記筒状体の内部で、前記一端を塞ぐ底部材側に、保水材が配設されていることにある。
【００１１】
また、かかる本発明の苗の搬送容器において、前記筒状体の一端を塞ぐ底部材を少なくとも覆う底部キャップを備えることにある。
【００１２】
更に、かかる本発明の苗の搬送容器において、前記筒状体の側面に通気孔が形成されていることにある。
【００１３】
また、かかる本発明の苗の搬送容器において、前記筒状体の高さが苗の長さよりも充分長く形成されたことにある。
【発明の効果】
【００１４】
本発明に係る苗の搬送容器によれば、筒状体は、１側面から大きく開けられて中に苗を素早く収納でき、筒状体の苗の入っていない側をヒンジを中心に回転させ蓋にして閉じるだけで収納作業が完了されるため、作業性が良い。苗は束にされて筒状体に収納されるため、隣接する束の苗の葉同士が接触することがなく、互いに蒸れることはない。さらに、筒状体に収納された苗は生育空間が保たれ、苗の葉から発する蒸気などは筒状体の上部から外部に排出され苗の生育が阻害されることはない。筒状体を積み重ねて大量に搬送できるため、輸送に伴うコストが増大することはない。また、積み重ねても苗自体に荷重がかかることはなく、苗の品質を保持できる。
【図面の簡単な説明】
【００１５】
【図１】本発明に係る苗の搬送容器のうち筒状体と底部材を示す斜視図である。
【図２】本発明に係る苗の搬送容器のうち筒状体を開いた状態を示す斜視図とクッション部材の斜視図である。
【図３】本発明に係る苗の搬送容器に苗を収納した状態を示す正面図である。
【図４】本発明に係る苗の搬送容器の凹部の箇所で切断した断面図である。
【図５】本発明に係る苗の搬送容器の他の実施例に係る凹部の箇所で切断した断面図である。
【図６】本発明に係る苗の搬送容器の他の締結手段を示す要部拡大断面図である。
【図７】本発明に係る苗の搬送容器の更に他の締結手段を示す要部拡大断面図である。
【図８】本発明に係る苗の搬送容器の更に他の締結手段を示す要部拡大図であり、（ａ）は締結を解いた断面図、（ｂ）は側面図、（ｃ）は締結した状態を示す断面図である。
【図９】本発明に係る苗の搬送容器の他の実施例に係る凹部の箇所で切断した断面図である。
【図１０】本発明に係る他の実施形態の苗の搬送容器のうち筒状体を開いた状態を示す正面図である。
【図１１】図１０の底面図である。
【図１２】（ａ）は図１０に示す苗の搬送容器の閉じた状態を示す底面図であり、（ｂ）は正面図の一部を示す図である。
【図１３】本発明に係る更に他の実施形態の苗の搬送容器のうち筒状体を開いた状態を示す正面図である。
【図１４】図１３の筒状体が閉じた状態である正面図の一部を示す図である。
【図１５】図１３に示す筒状体に入れられる保水材とその受け皿を示す正面図である。
【発明を実施するための形態】
【００１６】
本発明に係る苗の搬送容器（以下「本搬送容器」という。）１０は、図１及び図２に示すように、筒状体１２と、この筒状体１２の底を塞ぐ底部材１４と、クッション部材１６を備えて構成される。
【００１７】
（筒状体）
筒状体１２は、筒状の側面の１側面１８が軸方向に開放され、他側面２０が軸方向を中心に開閉し得るヒンジ２２を備えている。開放された１側面１８の両端部には、それぞれ側端プレート２４が一体的に形成されていて、１側面１８の開放が閉じられたとき、図１に示すように側端プレート２４、２４が密接させられるように構成されている。密接させた側端プレート２４、２４を締結するには、複数個所をステープルや溶着によって止めたり、粘着テープによって止めたりすることができる。すなわち、側端プレート２４、２４が締結手段を構成している。
【００１８】
１側面１８と相対する他側面２０には、平面視で半円筒形状あるいはU字状のヒンジ２２が形成されている。このような形状のヒンジ２２を設けることにより、折れ曲がる位置を確定することができる。ヒンジ２２の形状は、その他三角形状や多角形状であっても良く、限定されない。ヒンジ２２は側面に沿って軸方向に形成することによって、円滑に筒状体１２を開閉することができる。
【００１９】
筒状体１２には、その側面に内面が周方向に窪んだ凹部２６（図２参照）が形成されている。凹部２６はクッション部材１６の外周部が嵌め込まれて、クッション部材１６が筒状体１２の内部を軸方向に移動できないように位置決めされる。凹部２６の幅はクッション部材１６とほぼ同じ幅とされ、また凹部２６の深さはクッション部材１６と嵌合して抜け出ない深さであれば良く、限定されない。
【００２０】
筒状体１２の長さは、苗の平均的な長さを考慮して決められ、根から葉先までが収納できる充分な長さに設定される。苗を筒状体１２に収納するときの作業性と、搬送のために筒状体１２を箱の中に軸方向に積み重ねて収納するときに、苗にダメージを与えないようにするためである。また、筒状体１２の内径は、苗がたとえば５０本あるいは１００本の束にされて入れられるが、束にされた苗が充分収納できる寸法であれば良い。
【００２１】
筒状体１２の側面には、図１（他の図面では省略）に示すように通気孔２８が形成されるのが好ましい。筒状体１２の中には玉ねぎの苗の束が収納されるが、筒状体１２の中で苗の葉が蒸れてしまわないように、通気孔２８が形成されるのが良い。通気孔２８の形状は円形に限定されず、四角形、長方形、スリット形状等であっても良い。また、通気孔２８の大きさは、通気が確保できる大きさであれば良いが、苗の葉が通気孔２８から出ない程度の大きさであることが好ましい。
【００２２】
筒状体１２は、ＰＥＴ（ポリエチレンテレフタレート）、ＰＥ（ポリエチレン）などのプラスチック樹脂を用い、金型により加熱プレス成型などにより一体成型するのが好ましい。また、紙などにより型押し成形しても良い。プラスチック樹脂や紙などの原材料はリサイクル材料を用いても良い。筒状体１２は搬送時に縦方向（軸方向）に２段重ね、３段重ねあるいは更に多段重ねして効率的に搬送できるのが好ましく、筒状体１２の肉厚や素材はその重量に耐え得るものに設定される。筒状体１２の内面と苗の葉が密着しないように、筒状体１２の側面を軸方向に蛇腹状に形成したり、凹凸を形成することも可能である。
【００２３】
（底部材）
筒状体１２の両端は開口させられているが、本搬送容器１０は筒状体１２の開口のうち底に当たる一端を塞ぐ底部材１４を備えている。底部材１４は、筒状体１２の内面に挿入される筒状部３０（図３参照）と、筒状体１２の底面を塞ぐ閉止部３２とから構成されている。底部材１４は、プラスチック樹脂や紙で形成されるのが好ましい。底部材１４が筒状体１２から抜け出ないように、両者の間にピンを差し込んだり、粘着テープなどで固定するのが好ましい。
【００２４】
（クッション部材）
前述したように筒状体１２の凹部２６には、環状のクッション部材１６の外周部が嵌合させられる。筒状体１２の凹部２６の幅は、クッション部材１６の幅とほぼ同じにされる。環状のクッション部材１６は２つに切断されて開口部３４が形成されていて、切断されたクッション部材１６ａ，１６ｂはそれぞれ筒状体１２の凹部２６に入れられる。クッション部材１６の内径部３６の大きさは、複数本（例えば５０本又は１００本）の苗が１束に結束されたときに、周囲を軽く抑え込む内径とされる。クッション部材１６は例えば発泡ポリウレタンゴムのような発泡部材で構成しても良いが、麻や綿などの繊維を用いて構成しても良く、限定されない。なお、全体として環状をなすクッション部材１６は、上記実施例では内径部３６に苗を入れるために２つに切断していたが、ヒンジ２２側の開口部３４は端部で繋がっていても良い。
【００２５】
クッション部材１６は苗の根に近い部分を結束するのが好ましく、その位置に合わせて筒状体１２の凹部２６が形成される。玉ねぎの苗のサイズは、品種や生産地によってサイズが異なるが通常２０ｃｍから３０ｃｍとされる。玉ねぎの苗が小さいと玉ねぎの生育が悪く、また苗が大きく成長しすぎたものを植え替えると冬の寒さに晒されたときとう立ちしてしまう。そこで、玉ねぎの苗の出荷前には、ほぼ同じ寸法に揃えられるため、凹部２６の位置や、クッション部材１６の内径部３６の寸法は一定とされる。
【００２６】
以上の構成に係る本搬送容器１０は図３に示すようにして用いられる。本搬送容器１０の筒状体１２はヒンジ２２により内部を開いた状態で設置され、凹部２６にそれぞれクッション部材１６ａ、１６ｂが配置される。半筒状に開いた筒状体１２の片側の底部に底部材１４が被せられ、筒状体１２と底部材１４とによって囲まれた箇所に保水材３８が配置される。底部材１４の筒状部３０の内側に保水材３８を入れておくのが好ましい。底部材１４が保水材３８からにじみ出た水の受け皿として機能する。
【００２７】
（保水材）
保水材３８はバーミキュライトなどの鉱物系、スポンジなどの発泡樹脂系、あるいはピートモスなどのようなコケ類や紙などの天然繊維系などからなる保水性に優れた素材が用いられる。保水材３８には予め水を保水させておく。
【００２８】
このようにセットした状態で、玉ねぎの苗４０を一定本数、たとえば５０本又は１００本を束にして、開いた筒状体１２の中に苗４０の根が保水材３８に接するように入れられる。苗４０は一定本数にして、予め軽く紐などで括っておいても良い。苗４０を筒状体１２に入れるのにあたり、苗４０の根に近い部分がクッション部材１６の内径部３６に入れられる。束になった苗４０の外径が大きい場合は、クッション部材１６の内径部３６を押し広げて入れられる。これにより、苗４０は筒状体１２の中に安定した状態で収納されることになる。開けられた筒状体１２の苗４０の入っていない側を蓋にして閉じ、側端プレート２４，２４を重ね合わせてステープルなどにより１又は複数箇所が締結される。得られた筒状体１２は箱などに多数収納されるが、このとき２段重ね、あるいは3段重ね、更にはそれ以上に重ねられて収納されて、搬送される。
【００２９】
（作用効果）
筒状体１２は、１側面１８から大きく開けられて中に苗４０を素早く収納でき、筒状体１２の苗４０の入っていない側をヒンジ２２を中心に回転させ蓋にして閉じた後、側端プレート２４，２４を重ね合わせてステープルなどにより１又は複数箇所を締結するだけで収納作業が完了されるため、作業性が良い。筒状体１２に収納された苗４０は、根が保水材３８と接触しているため、枯れたり萎れたりすることはない。また、苗４０は束にされて筒状体１２に収納されているため、隣接する束の苗４０の葉同士が接触することがなく、互いに蒸れることはない。さらに、筒状体１２に収納された苗４０は生育空間が保たれ、苗４０の葉から発する蒸気などは筒状体１２の上部から外部に排出され、筒状体１２に通気孔２８が形成されている時は、その通気孔２８からも蒸気や空気の流通が確保でき、苗４０の生育が阻害されることはない。
【００３０】
また、クッション部材１６によって苗４０が束に保持されると共に、筒状体１２の内部が根側と葉側に分断されているため、保水材３８が鉱物系であるとき、搬送中の振動などによって保水材３８の一部が葉側に移動することはなく、苗４０の見栄えが維持できる。更に、筒状体１２を積み重ねて大量に搬送できるため、輸送に伴うコストが増大することはない。また、積み重ねても苗４０自体に荷重がかかることはなく、苗４０の品質を保持できる。
【００３１】
（他の実施形態）
本発明に係る苗の搬送容器は、上記実施例に限定されるものではない。以下に他の実施例を詳述するが、上記実施例と共通する構成については、図面に同一の符号を付して説明を省略することがある。
【００３２】
図４に示すように、クッション部材１６の外形は位置を固定することができれば良く、外周の一部が半径方向に突出した構造であっても良い。すなわち、筒状体１２に形成される凹部２６は、円筒状の筒状体１２と同心円をなす円弧で構成される。したがって、この円弧をなす凹部２６に嵌合されるクッション部材１６は、円弧状の凸部４２を備え、この凸部４２が筒状体１２の凹部２６と嵌合されることになる。凸部４２と凹部２６が嵌合させられることにより、クッション部材１６は筒状体１２の軸方向だけでなく周方向にも移動し得ないようにされる。
【００３３】
また、筒状体１２に形成される凹部２６の形状は、円弧を含む円形状に限らず、たとえば図５に示すように８角形の凹部２６であっても良く、その他６角形等の多角形であっても良い。筒状体１２の凹部２６の形状に適合させて、クッション部材１６の外形が形成される。
【００３４】
次に、筒状体１２の開放された１側面１８の両端に一体的に形成された側端プレート２４，２４は、両者をステープルなどによって締結することとしていたが、１側面１８の両端に予め締結手段を形成しておくことも可能である。たとえば図６に示すように、側端プレート２４，２４のうち一方の側端プレート２４に球形状の膨出部４４ａを形成し、他方の側端プレート２４に上記膨出部４４ａの内径よりも若干外径の小さい膨出部４４ｂを形成する。側端プレート２４、２４を重ね合わせるときに、膨出部４４ａの内形側に膨出部４４ｂの外形側を押し込み、嵌合させることにより締結する。すなわち、側端プレート２４、２４及び膨出部４４ａと膨出部４４ｂが締結手段４４を構成する。
【００３５】
また、側端プレート２４、２４の端部２４ａ、２４ｂはそれぞれ離隔するように開いて形成されている。側端プレート２４、２４の端部２４ａ、２４ｂをそれぞれ指で持って引き離すように引っ張ることにより、膨出部４４ａから膨出部４４ｂを容易に引き出すことができ、筒状体１２をヒンジ２２の周りに開くことができる。
【００３６】
また、図７の変形例であるが、図７に示すように、側端プレート２４，２４のうち一方の側端プレート２４に円形状の孔４６ａを形成し、他方の側端プレート２４に前記孔４６ａの内径よりも若干外径の大きい膨出部４６ｂを形成する。側端プレート２４、２４を重ね合わせるときに、孔４６ａの中に膨出部４６ｂを押し込み、嵌合させることにより締結する。すなわち、側端プレート２４、２４及び孔４６ａと膨出部４６ｂが締結手段４６を構成する。
【００３７】
また、側端プレート２４、２４の端部２４ａ、２４ｂはそれぞれ離隔するように開いて形成されている。側端プレート２４、２４の端部２４ａ、２４ｂをそれぞれ指で持って引き離すように引っ張ることにより、孔４６ａから膨出部４６ｂを容易に引き出すことができ、筒状体１２をヒンジ２２の周りに開くことができる。
【００３８】
更に、筒状体１２の締結手段は図８に示すように、構成することも可能である。すなわち、同図（ａ）（ｂ）に示すように、筒状体１２の１側面１８が軸方向に開放されているが、開放された側面１８ａ、１８ｂに小窓４８とフック５０を形成して締結手段５２とすることも可能である。側面１８ａに形成される小窓４８は、打ち抜き加工や切り抜き加工で形成する。フック５０は側面１８ｂから一体的に舌片を形成し、一部を折り曲げて形成する。フック５０を側面１８ａの裏面側から小窓４８に通して係止させる。筒状体１２は、その中に入れられたクッション部材１６や苗４０などにより開こうとする力が作用しているため、フック５０を小窓４８に係止させるだけで充分に締結することができる。
【００３９】
締結手段の実施例を種々挙げたが、これらに限定されるものではない。締結手段を如何なる構成にするかは、迅速な作業性を確保し、更に運送時に筒状体１２が開くなどのトラブルを防止する観点から重要である。上記各種の締結手段を組み合わせて実施することも可能である。また、特別な締結手段を設けず、たとえば筒状体の周りを輪ゴムなどで締め付け、筒状体が開かないようにしても良い。
【００４０】
次に、筒状体１２の外形は円筒に限らず、たとえば図９に示すように、８角形で形成することも可能であり、この場合、凹部２６の外形は８角形又は円形で形成するのが好ましい。筒状体１２の外形は、その他、６角形や１０角形などの多角形であっても良く、限定されない。なお、底部材１４の筒状部３０及び閉止部３２の外形は筒状体１２の外形に合わせて形成されることになる。
【００４１】
より具体的には、筒状体１２は図１０及び図１１に示す形状で構成することも可能である。なお、上述の実施形態と同一の構成については同一の符号を付し、説明を省略することがある。
【００４２】
筒状体１２は、解放された１側面１８を閉じ合わせたとき、図１２に示すように全体として８角形に形成され、８角形の各側面５４は平面で形成される。各側面５４が平面で形成されるため、商品名又は商標や、生産者・販売者を印刷したラベルを貼るのが容易になる。１側面１８の両端部には、側端プレート２４、２４が一体的に形成されている。この側端プレート２４、２４の一方には半円筒凸条５６ａが、他方には半円筒凹条５６ｂが、それぞれ形成されていて、半円筒凸条５６ａを半円筒凹条５６ｂに容易に抜け出ないように嵌め込むことによって両側端プレート２４，２４を締結することができる。すなわち、半円筒凸条５６ａと半円筒凹条５６ｂとによって締結手段５６が構成される。半円筒凸条５６ａと半円筒凹条５６ｂとで構成することによって、幅広く締結することができる。
【００４３】
筒状体１２の底部は、側面５４と一体的に形成された底面５８を成していて、１側面１８が閉じられたとき、底面５８，５８によって密閉される。筒状体１２の上部は、開口部６０が設けられる。また、筒状体１２の底部側の側面５４には、外側に膨出した複数の嵌合部６２が形成される。筒状体１２の底部側には、その底部を覆うように被せられる底部キャップ６４が設けられるが、底部キャップ６４が嵌合部６２と嵌合して、脱落しないように構成されている。筒状体１２の底部を覆う底部キャップ６４により、搬送中の振動などによって閉じられていた１側面１８が開いてしまうのを防止することができる。
【００４４】
また、図１３に示すように、筒状体１２の底部には側端プレート２４と一体的に底部プレート６６，６６を設け、その底部プレート６６，６６のそれぞれに半円筒凸条６８ａと半円筒凹条６８ｂを設けても良い。図１４に示すように、底部プレート６６，６６を重ね合わせて、半円筒凸条６８ａを半円筒凹条６８ｂに押し込んで嵌合させることにより締結する。このような半円筒凸条６８ａと半円筒凹条６８ｂとからなる締結手段６８を筒状体１２の底部に設けて強固に締結することにより、別途、筒状体１２の底部を覆う底部キャップを必要としない。
【００４５】
筒状体１２の内部に配設される保水材を予めセットしておき迅速に収納するために、図１５に示すように、深底の受け皿７０に水分を含ませたピートモスなどの保水材３８を入れておくのが好ましい。開いた筒状体１２の底部に、保水材３８がセットされた受け皿７０を配置し、直ちに苗を収納することができ、作業が迅速になる。
【００４６】
上記実施例では、玉ねぎの苗の本数を５０本又は１００本で１束として収納し得るように構成していたが、その本数以下であっても、それ以上の本数であっても良い。１つの搬送容器に収納する苗の本数が多いと、筒状体の中の苗の生育環境が悪化する恐れがある。そこで、苗を５０本又は１００本を１束として収納し得る筒状体を複数連結して構成することも可能である。
【００４７】
筒状体は無色透明であるのが中身を確認する上で好ましいが、限定されない。苗の品種毎に筒状体の色を変えれば、一見して品種が確認できるようになる。筒状体の全体の色を変えることができるが、たとえば側端プレートのみの色を変えても良い。また、筒状体を無色透明とし、クッション部材の色を品種毎に変えても良い。
【００４８】
本発明の苗の搬送容器は、使い捨て出来るように構成しても良い。この場合、玉ねぎの苗の産地から玉ねぎの生産地に出荷した後、購入した農家ごとに焼却処分するとき、焼却し易いように搬送容器や保水材などは焼却できる素材が選ばれる。また、焼却が好ましくない場合は、筒状体、クッション部材、及び保水材は生分解性の素材を用いるのが好ましい。
【００４９】
また、本発明の苗の搬送容器は、繰り返して使用し得るように構成することも可能である。この場合は、筒状体をより強固な構造とするのが好ましい。搬送容器の回収を必要とするが、回収によって侵害品のチェックが可能となる。
【００５０】
その他、本発明は、その趣旨を逸脱しない範囲で当業者の知識に基づいて種々なる改良、修正又は変形を加えた態様で実施できる。また、同一の作用又は効果が生じる範囲内で、何れかの発明特定事項を他の技術に置換した形態で実施しても良い。
【産業上の利用可能性】
【００５１】
本発明の実施例は玉ねぎの苗を例に説明したが、玉ねぎの苗に限定されるものではなく、植え替えを必要とする苗に利用することができる。その他、そのまま食することができるたとえば分葱のような野菜の搬送及び販売用のパッケージとしても利用可能である。
【符号の説明】
【００５２】
１０：苗の搬送容器
１２：筒状体
１４：底部材
１６：クッション部材
１８：１側面
２０：他側面
２２：ヒンジ
２６：凹部
２８：通気孔
３４：開口部
３８：保水材
４０：苗
４４、４６、５２、５６、６８：締結手段
６４：底部キャップ
【図１】
2020191791.tif 000003
【図２】
2020191791.tif 000004
【図３】
2020191791.tif 000005
【図４】
2020191791.tif 000006
【図５】
2020191791.tif 000007
【図６】
2020191791.tif 000008
【図７】
2020191791.tif 000009
【図８】
2020191791.tif 000010
【図９】
2020191791.tif 000011
【図１０】
2020191791.tif 000012
【図１１】
2020191791.tif 000013
【図１２】
2020191791.tif 000014
【図１３】
2020191791.tif 000015
【図１４】
2020191791.tif 000016
【図１５】
2020191791.tif 000017